【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
プランジャ封止材を含んでいる薬剤容器と連係して使用する為の薬剤ポンプ駆動機構であって、前記駆動機構は、
軸を有する駆動ハウジングと、
前記軸に沿って、少なくとも引き込まれた第１位置から伸びた第２位置に移動する為に、配置されたピストンであって、前記薬剤容器内で前記プランジャ封止材を移動させるように作られている前記ピストンと、
並列に動作するように配置されており、エネルギの放出の結果として、エネルギが蓄積された第１位置からエネルギが放出された第２位置に移動するように作られている複数の付勢部材と、
保持部材であって、前記保持部材は、保持する第１位置と解除する第２位置との間で移動可能であり、前記保持部材は、前記保持部材が前記保持する第１位置にある時、前記付勢部材を前記エネルギが蓄積された第１位置に維持し、前記保持部材が前記解除する第２位置に移動する時、前記付勢部材を前記エネルギが蓄積された第１位置から解除するように配置されている、前記保持部材と、を備え、
前記付勢部材は、前記付勢部材が、前記エネルギが蓄積された第１位置から前記エネルギが放出された第２位置に移動するとき、前記引き込まれた第１位置から前記伸びた第２位置への前記ピストンの移動が行われるように配置されている、
薬剤ポンプ駆動機構。
【請求項２】
前記複数の付勢部材は、引張ばね又は圧縮ばねのうちの少なくとも一方を含む、
請求項１に記載の薬剤ポンプ駆動機構。
【請求項３】
前記複数の付勢部材は、同心円状に配置された一対の圧縮ばねを含む、
請求項１に記載の薬剤ポンプ駆動機構。
【請求項４】
前記圧縮ばねは、少なくとも前記ピストンの一部の近くに同心円状に配置されている、
請求項３に記載の薬剤ポンプ駆動機構。
【請求項５】
前記保持部材は、前記保持部材がその保持する第１位置にある時に、その引き込まれた位置に前記ピストンを保持する為に、前記ピストンの少なくとも一部と係合する、
請求項１に記載の薬剤ポンプ駆動機構。
【請求項６】
前記ピストンは、ロック溝を含み、前記保持部材は、前記保持部材がその保持する第１位置にある時に、その引き込まれた第１位置に前記ピストンを保持する為に、前記ロック溝内で少なくとも部分的に受けられる、
請求項５に記載の薬剤ポンプ駆動機構。
【請求項７】
前記保持部材は、前記保持部材がその保持する第１位置にある時に、前記駆動ハウジングの外面に当たる、
請求項６に記載の薬剤ポンプ駆動機構。
【請求項８】
前記複数の付勢部材の少なくとも一方の近くに配置されるスリーブアセンブリを更に含む、
請求項１に記載の薬剤ポンプ駆動機構。
【請求項９】
前記スリーブアセンブリは、複数のテレスコープ式のスリーブを含む、
請求項８に記載の薬剤ポンプ駆動機構。
【請求項１０】
前記スリーブアセンブリは、前記複数の付勢部材の近くに配置される、
請求項８に記載の薬剤ポンプ駆動機構。
【請求項１１】
前記スリーブアセンブリは、前記ピストンと一緒に軸方向に移動するように配置される、
請求項８に記載の薬剤ポンプ駆動機構。
【請求項１２】
用量終了表示器を更に含む、
請求項１から１１の何れかに記載の薬剤ポンプ駆動機構。
【請求項１３】
前記駆動ハウジングは、少なくとも１つの窓を含み、前記スリーブアセンブリの少なくとも一部は、前記窓を介して視認可能であり、前記スリーブアセンブリは、前記ピストンと一緒に前記軸に沿って移動するように作られており、前記スリーブアセンブリの前記少なくとも一部は、前記ピストンが前記伸びた第２位置にあるまで、前記窓を介して視認可能である、
請求項１２に記載の薬剤ポンプ駆動機構。
【請求項１４】
前記窓の近くに実質的に配置される用量終了表示器を更に含み、前記用量終了表示器は、前記スリーブアセンブリが前記窓の下に配置される時、及び前記スリーブアセンブリが前記窓の下に配置されない時の、少なくとも何れか一方の時、前記窓又は別の基準構成要素を基準とした前記スリーブアセンブリの相対的な動き、そのような動きの停止、及び動き率又は動き率の変化を識別するように作られている、
請求項１３に記載の薬剤ポンプ駆動機構。
【請求項１５】
前記用量終了表示器は、前記スリーブアセンブリが前記窓の下に配置されている時、及び前記スリーブアセンブリが前記窓の下に配置されていない時の、少なくとも一方の時を検出するように配置されるセンサを含む、
請求項１４に記載の薬剤ポンプ駆動機構。
【請求項１６】
前記センサは、機械式センサ、電気式センサ、超音波センサ、容量性センサ、磁気センサ、又は光センサのうちの少なくとも１つである、
請求項１５に記載の薬剤ポンプ駆動機構。
【請求項１７】
前記センサは、前記スリーブアセンブリが前記窓の下に配置される時に、前記スリーブアセンブリに当たるように配置されている機械式センサである、
請求項１６に記載の薬剤ポンプ駆動機構。
【請求項１８】
前記スリーブアセンブリは、トレーリングエッジを有し、前記機械式センサは、前記ピストンが前記引き込まれた第１位置にある時、前記スリーブアセンブリに当たる第１位置に配置され、前記スリーブアセンブリの前記トレーリングエッジが前記窓をすぎて軸方向に移動する時、トリガされる第２位置に配置される、
請求項１７に記載の薬剤ポンプ駆動機構。
【請求項１９】
前記センサは、前記薬剤ポンプと関連する電源／制御系に電気的に接続されるように作られている、
請求項１５に記載の薬剤ポンプ駆動機構。
【手続補正２】
【補正対象書類名】明細書
【補正対象項目名】００９９
【補正方法】変更
【補正の内容】
【００９９】
本明細書全体での意図は、本発明をいかなる１つの実施形態又は具体的な機能集合体にも限定することなく、本発明の好ましい実施形態を説明することであった。本発明から逸脱しない限り、説明及び図解された実施形態に対して、様々な変更及び修正が行われてよい。本明細書中で参照された特許文献、科学文献、コンピュータプログラム、及びアルゴリズムのそれぞれの開示は、参照によってその全体が組み込まれている。
〔付記１〕
プランジャ封止材２０６０を含んでいる薬剤容器２０５０と連係して使用する為の薬剤ポンプ駆動機構２１００であって、前記駆動機構２１００は、
軸を有する駆動ハウジング２１３０と、
前記軸に沿って、少なくとも引き込まれた第１位置から伸びた第２位置に移動する為に、配置されたピストン２１１０であって、前記薬剤容器２０５０内で前記プランジャ封止材２０６０を移動させるように作られている前記ピストン２１１０と、
並列に配置されており、エネルギの放出の結果として、エネルギが蓄積された第１位置からエネルギが放出された第２位置に移動するように作られている複数の付勢部材２１０６、２１２２と、
保持部材２１１５であって、前記保持部材２１１５は、保持する第１位置と解除する第２位置との間で移動可能であり、前記保持部材２１１５は、前記保持部材２１１５が前記保持する第１位置にある時、前記付勢部材２１０６、２１２２を前記エネルギが蓄積された第１位置に維持し、前記保持部材２１１５が前記解除する第２位置に移動する時、前記付勢部材２１０６、２１２２を前記エネルギが蓄積された第１位置から解除するように配置されている、前記保持部材２１１５と、を備え、
前記付勢部材２１０６、２１２２は、前記付勢部材２１０６、２１２２が、前記エネルギが蓄積された第１位置から前記エネルギが放出された第２位置に移動するとき、前記引き込まれた第１位置から前記伸びた第２位置への前記ピストン２１１０の移動が行われるように配置されている、
薬剤ポンプ駆動機構２１００。
〔付記２〕
前記複数の付勢部材２１０６、２１２２は、引張ばね又は圧縮ばねのうちの少なくとも一方を含む、
請求項１に記載の薬剤ポンプ駆動機構２１００。
〔付記３〕
前記複数の付勢部材２１０６、２１２２は、一対のばねを含む、
請求項１に記載の薬剤ポンプ駆動機構２１００。
〔付記４〕
前記一対のばねは、圧縮ばねを含む、
請求項３に記載の薬剤ポンプ駆動機構２１００。
〔付記５〕
前記圧縮ばねは、同心円状に配置されている、
請求項４に記載の薬剤ポンプ駆動機構２１００。
〔付記６〕
前記圧縮ばねは、少なくとも前記ピストン２１１０の一部の近くに同心円状に配置されている、
請求項５に記載の薬剤ポンプ駆動機構２１００。
〔付記７〕
前記ピストン２１１０は、遠位端を含み、前記ピストン２１１０の前記遠位端の少なくとも一部は、前記ピストン２１１０が前記引き込まれた第１位置に配置されており、且つ、前記薬剤ポンプ駆動機構２１００が前記薬剤容器２０５０と連係して使用する為に配置されている時に、前記薬剤容器２０５０内に配置されるようにつくられている、
請求項１に記載の薬剤ポンプ駆動機構２１００。
〔付記８〕
前記保持部材２１１５は、前記保持部材２１１５がその保持する第１位置にある時に、その引き込まれた位置に前記ピストン２１１０を保持する為に、前記ピストン２１１０の少なくとも一部と係合する、
請求項１に記載の薬剤ポンプ駆動機構２１００。
〔付記９〕
前記ピストン２１１０は、ロック溝を含み、前記保持部材２１１５は、前記保持部材２１１５がその保持する第１位置にある時に、その引き込まれた第１位置に前記ピストン２１１０を保持する為に、前記ロック溝内で少なくとも部分的に受けられる、
請求項８に記載の薬剤ポンプ駆動機構２１００。
〔付記１０〕
前記保持部材２１１５は、前記保持部材２１１５がその保持する第１位置にある時に、前記駆動ハウジング２１３０の外面に当たる、
請求項９に記載の薬剤ポンプ駆動機構２１００。
〔付記１１〕
前記複数の付勢部材２１０６、２１２２の少なくとも一方の近くに配置されるスリーブアセンブリ２１２０を更に含む、
請求項１に記載の薬剤ポンプ駆動機構２１００。
〔付記１２〕
前記スリーブアセンブリ２１２０は、複数のテレスコープ式のスリーブ２１２４、２１２６を含む、
請求項１１に記載の薬剤ポンプ駆動機構２１００。
〔付記１３〕
前記スリーブアセンブリ２１２０は、前記複数の付勢部材２１０６、２１２２の近くに配置される、
請求項１１に記載の薬剤ポンプ駆動機構２１００。
〔付記１４〕
前記スリーブアセンブリ２１２０は、前記ピストン２１１０と一緒に軸方向に移動するように配置される、
請求項１１に記載の薬剤ポンプ駆動機構２１００。
〔付記１５〕
前記スリーブアセンブリ２１２０は、前記駆動ハウジング２１３０内に少なくとも部分的に配置される、
請求項１１に記載の薬剤ポンプ駆動機構２１００。
〔付記１６〕
用量終了表示器２１３３を更に含む、
請求項１から１５の何れかに記載の薬剤ポンプ駆動機構２１００。
〔付記１７〕
前記駆動ハウジング２１３０は、少なくとも１つの窓２１３１を含み、前記スリーブアセンブリ２１２０の少なくとも一部は、前記窓２１３１を介して視認可能であり、前記スリーブアセンブリ２１２０は、前記ピストン２１１０と一緒に前記軸に沿って移動するように作られており、前記スリーブアセンブリ２１２０の前記少なくとも一部は、前記ピストン２１１０が前記伸びた第２位置にあるまで、前記窓２１３１を介して視認可能である、
請求項１６に記載の薬剤ポンプ駆動機構２１００。
〔付記１８〕
前記窓２１３１の近くに実質的に配置される用量終了表示器２１３３を更に含み、前記用量終了表示器２１３３は、前記スリーブアセンブリ２１２０が前記窓２１３１の下に配置される時、及び前記スリーブアセンブリが前記窓２１３１の下に配置されない時の、少なくとも何れか一方の時、前記窓２１３１又は別の基準構成要素を基準とした前記スリーブアセンブリ２１２０の相対的な動き、そのような動きの停止、及び動き率又は動き率の変化を識別するように作られている、
請求項１７に記載の薬剤ポンプ駆動機構２１００。
〔付記１９〕
前記用量終了表示器２１３３は、前記スリーブアセンブリ２１２０が前記窓２１３１の下に配置されている時、及び前記スリーブアセンブリ２１２０が前記窓２１３１の下に配置されていない時の、少なくとも一方の時を検出するように配置されるセンサ２１３４を含む、
請求項１８に記載の薬剤ポンプ駆動機構２１００。
〔付記２０〕
前記センサ２１３４は、機械式センサ、電気式センサ、超音波センサ、容量性センサ、磁気センサ、又は光センサのうちの少なくとも１つである、
請求項１９に記載の薬剤ポンプ駆動機構２１００。
〔付記２１〕
前記センサ２１３４は、前記スリーブアセンブリ２１２０が前記窓２１３１の下に配置される時に、前記スリーブアセンブリ２１２０に当たるように配置されている機械式センサ２１３４である、
請求項２０に記載の薬剤ポンプ駆動機構２１００。
〔付記２２〕
前記スリーブアセンブリ２１２０は、トレーリングエッジ２１２６Ｂを有し、前記機械式センサ２１３４は、前記ピストン２１１０が前記引き込まれた第１位置にある時、前記スリーブアセンブリ２１２０に当たる第１位置に配置され、前記スリーブアセンブリ２１２０の前記トレーリングエッジが前記窓２１３１をすぎて軸方向に移動する時、トリガされる第２位置に配置される、
請求項２１に記載の薬剤ポンプ駆動機構２１００。
〔付記２３〕
前記センサ２１３４は、前記薬剤ポンプ２０１０と関連する電源／制御系２４００に電気的に接続されるように作られている、
請求項１９に記載の薬剤ポンプ駆動機構２１００。
〔付記２４〕
プランジャ封止材２０６０を含んでいる薬剤容器２０５０と連係して使用する為の薬剤ポンプ駆動機構２１００であって、前記駆動機構２１００は、
軸を有する駆動ハウジング２１３０であって、前記ハウジング２１３０は窓２１３１を更に含む、前記ハウジング２１３０と、
前記軸に沿って、少なくとも引き込まれた第１位置から伸びた第２位置に移動する為に、配置されたピストン２１１０であって、前記薬剤容器２０５０内で前記プランジャ封止材２０６０を移動させるように作られている前記ピストン２１１０と、
エネルギの放出の結果として、エネルギが蓄積された第１位置からエネルギが放出された第２位置に移動するように配置されて作られている少なくとも１つの付勢部材２１０６、２１２２であって、前記付勢部材２１０６、２１２２が、前記エネルギが蓄積された第１位置から前記エネルギが放出された第２位置に移動するとき、前記引き込まれた第１位置から前記伸びた第２位置への前記ピストン２１１０の移動が行われるように配置されている、前記付勢部材２１０６、２１２２と、
保持部材２１１５であって、前記保持部材２１１５は、保持する第１位置と解除する第２位置との間で移動可能であり、前記保持部材２１１５は、前記保持部材２１１５が前記保持する第１位置にある時、前記付勢部材２１０６、２１２２を前記エネルギが蓄積された第１位置に維持し、前記保持部材２１１５が前記解除する第２位置に移動する時、前記付勢部材２１０６、２１２２を前記エネルギが蓄積された第１位置から解除するように配置されている、前記保持部材２１１５と、
前記駆動ハウジング２１３０内に少なくとも部分的に配置されているスリーブアセンブリ２１２０であって、前記スリーブアセンブリ２１２０の少なくとも一部は、前記ピストン２１１０と一緒に前記軸に沿って移動するように作られており、前記ピストン２１１０が前記引き込まれた第１位置又は前記伸びた第２位置の一方である時、前記スリーブアセンブリ２１２０の少なくとも一部は、前記窓２１３１を介して視認可能であり、前記ピストン２１１０が前記引き込まれた第１位置又は前記伸びた第２位置の他にある時、前記スリーブアセンブリ２１２０は、前記窓２１３１を介して視認可能ではない、前記スリーブアセンブリ２１２０と、
前記窓２１３１の近くに実質的に配置される用量終了表示器２１３３であって、前記用量終了表示器２１３３は、前記スリーブアセンブリ２１２０が前記窓２１３１の下に配置される時、及び前記スリーブアセンブリ２１２０が前記窓２１３１の下に配置されない時の、少なくとも何れか一方の時、前記窓２１３１又は別の基準構成要素を基準とした前記スリーブアセンブリ２１２０の相対的な動き、そのような動きの停止、及び動き率又は動き率の変化を識別するように作られている、前記用量終了表示器２１３３と、
を備える薬剤ポンプ駆動機構２１００。
〔付記２５〕
前記少なくとも１つの付勢部材２１０６、２１２２の近くに配置される前記スリーブアセンブリ２１２０を更に含む、
請求項２４に記載の薬剤ポンプ駆動機構２１００。
〔付記２６〕
前記スリーブアセンブリ２１２０は、複数のテレスコープ式のスリーブを含む、
請求項２４に記載の薬剤ポンプ駆動機構２１００。
〔付記２７〕
前記少なくとも１つの付勢部材２１０６、２１２２は、引張ばね又は圧縮ばねのうちの少なくとも一方を含む、
請求項２４に記載の薬剤ポンプ駆動機構２１００。
〔付記２８〕
少なくとも２つの付勢部材２１０６、２１２２を含み、前記スリーブアセンブリ２１２０は、前記少なくとも２つの付勢部材２１０６、２１２２の近くに配置される、
請求項２４に記載の薬剤ポンプ駆動機構２１００。
〔付記２９〕
前記用量終了表示器２１３３は、前記スリーブアセンブリ２１２０が前記窓２１３１の下に配置されている時、及び前記スリーブアセンブリ２１２０が前記窓２１３１の下に配置されていない時の、少なくとも一方の時を検出するように配置されるセンサ２１３４を含む、
請求項２４に記載の薬剤ポンプ駆動機構２１００。
〔付記３０〕
前記センサ２１３４は、機械式センサ、電気式センサ、超音波センサ、容量性センサ、磁気センサ、又は光センサのうちの少なくとも１つである、
請求項２９に記載の薬剤ポンプ駆動機構２１００。
〔付記３１〕
前記センサ２１３４は、前記スリーブアセンブリ２１２０が前記窓２１３１の下に配置される時に、前記スリーブアセンブリ２１２０に当たるように配置されている機械式センサ２１３４である、
請求項３０に記載の薬剤ポンプ駆動機構２１００。
〔付記３２〕
前記スリーブアセンブリ２１２０は、トレーリングエッジを有し、前記機械式センサ２１３４は、前記ピストン２１１０が前記引き込まれた第１位置にある時、前記スリーブアセンブリ２１２０に当たる第１位置に配置され、前記スリーブアセンブリ２１２０の前記トレーリングエッジが前記窓２１３１をすぎて軸方向に移動する時、トリガされる第２位置に配置される、
請求項３１に記載の薬剤ポンプ駆動機構２１００。
〔付記３３〕
前記センサ２１３４は、前記薬剤ポンプ２０１０と関連する電源／制御系２４００に電気的に接続されるように作られている、
請求項３２に記載の薬剤ポンプ駆動機構２１００。
〔付記３４〕
前記保持部材２１１５は、前記保持部材２１１５がその保持する第１位置にある時に、その引き込まれた位置に前記ピストン２１１０を保持する為に、前記ピストン２１１０の少なくとも一部と係合する、
請求項２４に記載の薬剤ポンプ駆動機構２１００。
〔付記３５〕
前記ピストン２１１０は、ロック溝を含み、前記保持部材２１１５は、前記保持部材２１１５がその保持する第１位置にある時に、その引き込まれた第１位置に前記ピストン２１１０を保持する為に、前記ロック溝内で少なくとも部分的に受けられる、
請求項３４に記載の薬剤ポンプ駆動機構２１００。
〔付記３６〕
並列に配置される複数の付勢部材２１０６、２１２２を含む、
請求項２４から３５の何れかに記載の薬剤ポンプ駆動機構２１００。
〔付記３７〕
前記少なくとも１つの付勢部材２１０６、２１２２は、一対の圧縮ばねを含む、
請求項２４から３５の何れかに記載の薬剤ポンプ駆動機構２１００。
〔付記３８〕
前記圧縮ばねは、同心円状に配置される、
請求項３７に記載の薬剤ポンプ駆動機構２１００。